(57)【要約】【課題】開閉入賞口部に取り込まれた球を速く検出させる。【解決手段】左開閉体６および右開閉体７の開放中において、左開閉体６から左開閉入賞口部１２４に取り込まれた球が左球検出孔８２を左側から右側に円滑に通過し、左球検出器９が遊技領域１３から左球入口１３２に取り込まれた球を左球入口１３２で即座に検出し、右開閉体７から右開閉入賞口部１２５に取り込まれた球が左球検出孔８４を右側から左側に円滑に通過し、右球検出器１０が遊技領域１３から右球入口１３３に取り込まれた球を右球入口１３３で即座に検出する。【選択図】図１
2006305003.tif 000002
【特許請求の範囲】
【請求項１】
遊技盤の遊技領域に取り付けられる取付基盤と、取付基盤の前側に中央から左右方向に行くにしたがって下方に下り勾配となる上面を有するように設けられた中央隔壁と、取付基盤の前側に中央隔壁の左端部から下方に突出して設けられた左内側隔壁と、取付基盤の前側に左内側隔壁から左側に離れて下方に突出して設けられた左外側隔壁と、取付基盤の前側に左右方向に突出して設けられた下隔壁と、取付基盤の前側に左内側隔壁の上端部および左外側隔壁の上端部との間の隙間として設けられた左球入口と、取付基盤の前側に中央隔壁と左内側隔壁と左外側隔壁および下隔壁によって囲まれて設けられた左開閉入賞口部と、左球入口に位置して左開閉入賞口部に設けられた左球検出器と、左開閉入賞口部の下部に位置して取付基盤に前後方向への貫通孔として設けられた左球出口と、取付基盤の前側に左球入口を開閉するように設けられた左開閉体と、取付基盤の前側に中央隔壁の右端部から下方に突出して設けられた右内側隔壁と、取付基盤の前側に右内側隔壁から右側に離れて下方に突出して設けられた右外側隔壁と、取付基盤の前側に左右方向に突出して設けられた下隔壁と、取付基盤の前側に右内側隔壁の上端部および右外側隔壁の上端部との間の隙間として設けられた右球入口と、取付基盤の前側に中央隔壁と右内側隔壁と右外側隔壁および下隔壁によって囲まれて設けられた右開閉入賞口部と、右球入口に位置して右開閉入賞口部に設けられた右球検出器と、右開閉入賞口部の下部に位置して取付基盤に前後方向への貫通孔として設けられた右球出口と、取付基盤の前側に右球入口を開閉するように設けられた右開閉体と、取付基盤の裏側に設けられて左開閉体および右開閉体を開閉するように左開閉体および右開閉体に連結された駆動機構とを備えたことを特徴とするパチンコ遊技機の可変入賞部品。
【請求項２】
左開閉体または右開閉体が下部に設けられた開閉軸を中心として取付基盤の前面と平行な方向で上方に向けて回転して開かれかつ下方に向けて回転して閉じられる構造に形成されたことを特徴とする請求項１記載のパチンコ遊技機の可変入賞部品。
【請求項３】
左開閉体または右開閉体が２つの平坦面と１つの弧面と前面と裏面とで囲まれた立体形であって左開閉体または右開閉体を前側から見ると２つの平坦面と１つの弧面とで囲まれた略三角形であって、左開閉体または右開閉体を取付基盤の前面と平行な方向開閉するための開閉軸が２つ平坦面の交差する隅部に設けられ、左開閉体または右開閉体が開閉軸を中心として取付基盤の前面と平行な方向で上方に向けて回転して開かれかつ下方に向けて回転して閉じられる場合において１つの弧面が左球検出器または右球検出器と対向する側に配置されたことを特徴とする請求項１記載のパチンコ遊技機の可変入賞部品。
【請求項４】
左開閉体または右開閉体が開閉軸を中心として閉じられた場合における左開閉体の上面または右開閉体の上面が中央隔壁の上面よりも上方に突出しない構造に形成されたことを特徴とする請求項２または請求項３記載のパチンコ遊技機の可変入賞部品。
【請求項５】
左開閉体または右開閉体が開閉軸を中心として閉じられた場合における１つの弧面と左球検出器または右球検出器との対向する間の対向間隔が１個の球の直径よりも小さい寸法に設定されたことを特徴とする請求項３記載のパチンコ遊技機の可変入賞部品。
【発明の詳細な説明】
【技術分野】
【０００１】
本発明は、開閉入賞口部に取り込まれたパチンコ球と呼ばれる球の検出が速いパチンコ遊技機の可変入賞部品に関する。
【背景技術】
【０００２】
パチンコ遊技機の可変入賞部品は、遊技領域から球を取り込むための球入口が扉または羽根と呼ばれる開閉体によって開閉されることによって、球を、入賞しやすくしたり、入賞しにくくしたり、入賞させなかったりする入賞部品である。しかしながら、球入口から可変入賞部品の内部に取り込まれて入賞した球を検出する球検出器が開閉体から離れた可変入賞部品の内部に設けられているため、球が球入口を通過してから球検出器で検出されるまでの時間が長く、開閉体の開放中における可変入賞部品に入賞する球の個数が所定個数とならないという安定しない欠点があるうえ、可変入賞部品の内部において複数の球が互いに噛み合う球詰まりを発生する欠点があった。
【特許文献１】特公平７−１１４８４４号公報
【発明の開示】
【発明が解決しようとする課題】
【０００３】
発明が解決しようとする問題点は、開閉体の開放中における入賞球の個数が安定しないうえ、可変入賞部品の内部で球詰まりを発生するという点である。
【課題を解決するための手段】
【０００４】
本発明に係るパチンコ遊技機の可変入賞部品は、遊技盤の遊技領域に取り付けられる取付基盤と、取付基盤の前側に中央から左右方向に行くにしたがって下方に下り勾配となる上面を有するように設けられた中央隔壁と、取付基盤の前側に中央隔壁の左端部から下方に突出して設けられた左内側隔壁と、取付基盤の前側に左内側隔壁から左側に離れて下方に突出して設けられた左外側隔壁と、取付基盤の前側に左右方向に突出して設けられた下隔壁と、取付基盤の前側に左内側隔壁の上端部および左外側隔壁の上端部との間の隙間として設けられた左球入口と、取付基盤の前側に中央隔壁と左内側隔壁と左外側隔壁および下隔壁によって囲まれて設けられた左開閉入賞口部と、左球入口に位置して左開閉入賞口部に設けられた左球検出器と、左開閉入賞口部の下部に位置して取付基盤に前後方向への貫通孔として設けられた左球出口と、取付基盤の前側に左球入口を開閉するように設けられた左開閉体と、取付基盤の前側に中央隔壁の右端部から下方に突出して設けられた右内側隔壁と、取付基盤の前側に右内側隔壁から右側に離れて下方に突出して設けられた右外側隔壁と、取付基盤の前側に左右方向に突出して設けられた下隔壁と、取付基盤の前側に右内側隔壁の上端部および右外側隔壁の上端部との間の隙間として設けられた右球入口と、取付基盤の前側に中央隔壁と右内側隔壁と右外側隔壁および下隔壁によって囲まれて設けられた右開閉入賞口部と、右球入口に位置して右開閉入賞口部に設けられた右球検出器と、右開閉入賞口部の下部に位置して取付基盤に前後方向への貫通孔として設けられた右球出口と、取付基盤の前側に右球入口を開閉するように設けられた右開閉体と、取付基盤の裏側に設けられて左開閉体および右開閉体を開閉するように左開閉体および右開閉体に連結された駆動機構とを備えたことを最も主要な特徴とする。左開閉体または右開閉体が下部に設けられた開閉軸を中心として取付基盤の前面と平行な方向で上方に向けて回転して開かれかつ下方に向けて回転して閉じられる構造に形成されたり、左開閉体または右開閉体が２つの平坦面と１つの弧面と前面と裏面とで囲まれた立体形であって左開閉体または右開閉体を前側から見ると２つの平坦面と１つの弧面とで囲まれた略三角形であって、左開閉体または右開閉体を取付基盤の前面と平行な方向開閉するための開閉軸が２つ平坦面の交差する隅部に設けられ、左開閉体または右開閉体が開閉軸を中心として取付基盤の前面と平行な方向で上方に向けて回転して開かれかつ下方に向けて回転して閉じられる場合において１つの弧面が左球検出器または右球検出器と対向する側に配置されたり、左開閉体または右開閉体が開閉軸を中心として閉じられた場合における左開閉体の上面または右開閉体の上面が中央隔壁の上面よりも上方に突出しない構造に形成されたり、左開閉体または右開閉体が開閉軸を中心として閉じられた場合における１つの弧面と左球検出器または右球検出器との対向する間の対向間隔が１個の球の直径よりも小さい寸法に設定されたりしてもよい。
【発明の効果】
【０００５】
本発明に係るパチンコ遊技機の可変入賞部品は、左球検出器が左開閉体で開閉される左開閉入賞口部における左球入口に設けられ、右球検出器が右開閉体で開閉される右開閉入賞口部における右球入口に設けられているので、左開閉体や右開閉体の開放中において、左球検出器が遊技領域から左球入口に取り込まれた球を左球入口で即座に検出し、右球検出器が遊技領域から右球入口に取り込まれた球を右球入口で即座に検出することができるという利点があるうえ、左球出口および右球出口が左内側隔壁および右内側隔壁で個別に隔てられているので、左開閉入賞口部に取り込まれた球は、右開閉入賞口部に取り込まれた球と出合うことなく左球出口から円滑に排出され、右開閉入賞口部に取り込まれた球は、左開閉入賞口部に取り込まれた球と出合うことなく右球出口から円滑に排出されることによって、左開閉入賞口部および右開閉入賞口部のそれぞれにおいて球詰まりが発生しないという利点がある。左開閉体または右開閉体が下部に設けられた開閉軸を中心として取付基盤の前面と平行な方向で上方に向けて回転して開かれかつ下方に向けて回転して閉じられる構造に形成されれば、左開閉体または左開閉体が開くことによって、遊技領域から左球入口または右球入口に球を誘導する通路が逆三角形に形成され、球が遊技領域から左球入口または右球入口に取り込まれやすくなるという利点がある。左開閉体または右開閉体が２つの平坦面と１つの弧面と前面と裏面とで囲まれた立体形であって左開閉体または右開閉体を前側から見ると２つの平坦面と１つの弧面とで囲まれた略三角形であって、左開閉体または右開閉体を取付基盤の前面と平行な方向開閉するための開閉軸が２つ平坦面の交差する隅部に設けられ、左開閉体または右開閉体が開閉軸を中心として取付基盤の前面と平行な方向で上方に向けて回転して開かれかつ下方に向けて回転して閉じられる場合において１つの弧面が左球検出器または右球検出器と対向する側に配置されれば、左開閉体または右開閉体が開いた場合、左開閉体の弧面が左側から右側に行くにしたがって下り勾配となる弧状の態様となって受け取った球を左球入口に円滑に誘導し、右開閉体の弧面が右側から左側に行くにしたがって下り勾配となる弧状の態様となって受け取った球を右球入口に円滑に誘導するという利点がある。左開閉体または右開閉体が開閉軸を中心として閉じられた場合における左開閉体の上面または右開閉体の上面が中央隔壁の上面よりも上方に突出しない構造に形成されれば、球が中央隔壁の上面から左開閉体の上面または右開閉体の上面に円滑に流れるという利点がある。左開閉体または右開閉体が開閉軸を中心として閉じられた場合における１つの弧面と左球検出器または右球検出器との対向する間の対向間隔が１個の球の直径よりも小さい寸法に設定されれば、左開閉体または右開閉体が開閉軸を中心として閉じられる過程において、球が閉じられる左開閉体または右開閉体と左球検出器または右球検出器との間に存在した場合、閉じられる左開閉体または右開閉体が当該球に触れて当該球を左球検出器または右球検出器の方向に押すので、左球検出器または右球検出器が上記球を一層速く検出することができ、閉じられる左開閉体と左球検出器との間にまたは閉じられる右開閉体と右球検出器との間に球詰まりが発生しないという利点がある。
【発明を実施するための最良の形態】
【０００６】
図１乃至図１０は、発明を実施するための最良の形態である。図１は、前面部を除去した可変入賞部品１の正面を示す。図２は、可変入賞部品１を分解して前側から示す。図３は、中央ユニット２と前覆体３とを分解して前側から示す。図４は、中央ユニット２と前覆体３とを分解して裏側から示す。図５は、端子ユニット４と駆動機構８とを分解して前側から示す。図６は、端子ユニット４を分解して裏側から示す。図７は、端子ユニット４を裏側から示す。図８は、左開閉体６および右開閉体７の閉じた可変入賞部品１を前側から示す。図９は、左開閉体６および右開閉体７の開いた可変入賞部品１を前側から示す。図１０は、可変入賞部品１を備えたパチンコ遊技機の正面を示す。本明細書において、「前」、「後」、「裏」、「左」、「右」、「上」、「下」の方向は、図１０の状態に遊技機枠１７１および遊技盤１２を置いて正面から見た場合に特定される方向である。「後」と「裏」とは同じ方向である。
【０００７】
図１を参照し、可変入賞部品１の主要な構造について説明する。図１のａ図に示すように、取付基盤５の前側には、中央隔壁１２６が中央から左右方向に行くにしたがって下方に下り勾配となる弧状の上面１２６ａを有するように設けられ、左内側隔壁１２７が中央隔壁１２６の左端部から下方に突出して設けられ、左外側隔壁１２８が左内側隔壁１２７から左側に離れて下方に突出して設けられ、下隔壁１３１が左右方向に突出して設けられ、左球入口１３２が左内側隔壁１２７の上端部および左外側隔壁１２８の上端部との間の隙間として設けられ、左開閉入賞口部１２４が中央隔壁１２６と左内側隔壁１２７と左外側隔壁１２８および下隔壁１３１によって囲まれて設けられ、左球検出器９が左球入口１３２に位置して左開閉入賞口部１２４に設けられ、左球出口３１が左開閉入賞口部１２４の下部に位置して取付基盤５に前後方向への貫通孔として設けられ、左開閉体６が左球入口１３２を開閉するように設けられ、右内側隔壁１２９が中央隔壁１２６の右端部から下方に突出して設けられ、右外側隔壁１３０が右内側隔壁１２９から右側に離れて下方に突出して設けられ、右球入口１３３が右内側隔壁１２９の上端部および右外側隔壁１３０の上端部との間の隙間として設けられ、右開閉入賞口部１２５が中央隔壁１２６と右内側隔壁１２９と右外側隔壁１３０および下隔壁１３１によって囲まれて設けられ、右球検出器１０が右球入口１３３に位置して右開閉入賞口部１２５に設けられ、右球出口３２が右開閉入賞口部１２５の下部に位置して取付基盤５に前後方向への貫通孔として設けられ、右開閉体７が右球入口１３３を開閉するように設けられた構造である。
【０００８】
つまり、可変入賞部品１の主要な構造にあっては、左球検出器９が左開閉体６で開閉される左開閉入賞口部１２４における左球入口１３２に設けられ、右球検出器１０が右開閉体７で開閉される右開閉入賞口部１２５における右球入口１３３に設けられているので、左開閉体６および右開閉体７の開放中において、左球検出器９が遊技領域１３から左球入口１３２に取り込まれた球を左球入口１３２で即座に検出し、右球検出器１０が遊技領域１３から右球入口１３３に取り込まれた球を右球入口１３３で即座に検出することができるという利点がある。また、左球検出器９の左球検出孔８２が左側から右側への下り勾配の貫通孔として配置され、右球検出器１０の右球検出孔８４が右側から左側への下り勾配の貫通孔として配置されているので、開放中の左開閉体６から左開閉入賞口部１２４に取り込まれた球が左球検出孔８２を左側から右側に円滑に通過し、開放中の右開閉体７から右開閉入賞口部１２５に取り込まれた球が右球検出孔８４を右側から左側に円滑に通過することができるという利点がある。
【０００９】
左球出口３１および右球出口３２が左内側隔壁１２７および右内側隔壁１２９で個別に隔てられているので、左開閉入賞口部１２４に取り込まれた球は、右開閉入賞口部１２５に取り込まれた球と出合うことなく左球出口３１から円滑に排出され、右開閉入賞口部１２５に取り込まれた球は、左開閉入賞口部１２４に取り込まれた球と出合うことなく右球出口３２から円滑に排出されることによって、左開閉入賞口部１２４および右開閉入賞口部１２５のそれぞれにおいて球詰まりが発生しないという利点がある。左開閉体６が下部に設けられた左開閉軸５０を中心として取付基盤５の前面と平行な方向で上方に向けて回転して開かれかつ下方に向けて回転して閉じられる構造に形成され、右開閉体７が下部に設けられた右開閉軸５８を中心として取付基盤５の前面と平行な方向で上方に向けて回転して開かれかつ下方に向けて回転して閉じられる構造に形成されているので、左開閉体６および右開閉体７が開くことによって、遊技領域１３から左球入口１３２および右球入口１３３に球を誘導する通路が図１のｂ図に仮想線Ｌで示す逆三角形に形成され、球が遊技領域１３から左球入口１３２および右球入口１３３に取り込まれやすくなるという利点がある。
【００１０】
左開閉体６および右開閉体７が図１のａ図に実線で示す位置から仮想線で示す位置に開放された場合、左開閉体６の外側面である１つの平坦面４３および右開閉体７の外側面である１つの平坦面５１が垂直状となり、左開閉体６がそれ以上左側に移動しないように停止し、右開閉体７がそれ以上、右側に移動しないように停止し、左開閉体６および右開閉体７が最大開度位置となる。このように左開閉体６および右開閉体７が最大開度位置に停止した場合、左開閉体６の内側面である弧面４５が左側から右側に行くにしたがって下り勾配となる弧状の態様となって受け取った球を左球入口１３２に円滑に誘導し、右開閉体７の内側面である弧面５３が右側から左側に行くにしたがって下り勾配となる弧状の態様となって受け取った球を右球入口１３３に円滑に誘導するという利点がある。
【００１１】
中央隔壁１２６が、中央から左右方向に行くにしたがって下方に下り勾配となる上面１２６ａを有し、左球入口１３２が中央隔壁１２６の左側に隣接し、右球入口１３３が中央隔壁１２６の右側に隣接しているので、中央隔壁１２６は、遊技領域１３から上面１２６ａに落下した球を左右に振り分ける機能と、振り分けた球を左球入口１３２および右球入口１３３に誘導する機能とを併有するという利点がある。中央から左右方向に行くにしたがって下方に下り勾配となる上面１２６ａを有する中央隔壁１２６の左右方向における横幅Ｄ１は、パチンコ遊技機に用いられる１個のパチンコ球と呼ばれる球の直径の４．５倍程度の寸法になっているので、中央隔壁１２６の上面１２６ａによる遊技領域１３から落下する球を受け取る左右方向の範囲が広くなり、左開閉体６および右開閉体７が開いた場合、遊技領域１３から左球入口１３２および右球入口１３３に取り込まれる単位時間当たりの球数が多くなり、つまり、可変入賞部品１に入賞する単位時間当たりの球数が多くなるという利点がある。
【００１２】
左開閉体６および右開閉体７が開閉軸５０；５８を中心として閉じられた場合における左開閉体６の上面となる平坦面４３または右開閉体７の上面となる平坦面５１が中央隔壁１２６の上面１２６ａよりも上方に突出しない構造に形成されているので、球が中央隔壁１２６の上面１２６ａから左開閉体６の平坦面４３または右開閉体７の平坦面５１に円滑に流れるという利点がある。左開閉体６が左開閉軸５０を中心として閉じられた場合における１つの弧面４５と左球検出器９との対向する間の対向間隔Ｄ２が１個の球の直径よりも小さい寸法に設定されているので、左開閉体６が左開閉軸５０を中心として閉じられる過程において、球が閉じられる左開閉体６と左球検出器９との間に存在した場合、閉じられる左開閉体６が当該球に触れて当該球を左球検出器９の方向に押すので、左球検出器９が上記球を一層速く検出することができ、閉じられる左開閉体６と左球検出器９との間に球詰まりが発生しないという利点がある。右開閉体７が右開閉軸５８を中心として閉じられた場合における１つの弧面５３と右球検出器１０との対向する間の対向間隔Ｄ３が１個の球の直径よりも小さい寸法に設定されているので、右開閉体７が右開閉軸５８を中心として閉じられる過程において、球が閉じられる右開閉体７と右球検出器１０との間に存在した場合、閉じられる右開閉体７が当該球に触れて当該球を右球検出器１０の方向に押すので、右球検出器１０が上記球を一層速く検出することができ、閉じられる右開閉体７と右球検出器１０との間に球詰まりが発生しないという利点がある。
【００１３】
左開閉体６は、図３にも示すように、２つの平坦面４３；４４と１つの弧面４５と前面４６と裏面４７とで囲まれた立体形であって左開閉体６を前側から見ると２つの平坦面４３；４４と１つの弧面４５とで囲まれた略三角形であって、左開閉体６を取付基盤５の前面と平行な方向に開閉するための左開閉軸５０が２つ平坦面４３；４４の交差する隅部に設けられ、左開閉体６が左開閉軸５０を中心として取付基盤５の前面と平行な方向で上方に向けて回転して開かれかつ下方に向けて回転して閉じられる場合において１つの弧面４５が左球検出器９と対向する側に配置されているので、左開閉体６が開いた場合、左開閉体６の弧面４５が左側から右側に行くにしたがって下り勾配となる弧状の態様となって受け取った球を左球入口１３２に円滑に誘導するという利点がある。
【００１４】
右開閉体７は、図３にも示すように、２つの平坦面５１；５２と１つの弧面５３と前面５４と裏面５５とで囲まれた立体形であって右開閉体７を前側から見ると２つの平坦面５１；５２と１つの弧面５３とで囲まれた略三角形であって、右開閉体７を取付基盤５の前面と平行な方向に開閉するための開閉軸５８が２つ平坦面５１；５２の交差する隅部に設けられ、右開閉体７が開閉軸５８を中心として取付基盤５の前面と平行な方向で上方に向けて回転して開かれかつ下方に向けて回転して閉じられる場合において１つの弧面５３が右球検出器１０と対向する側に配置されているので、右開閉体７が開いた場合、右開閉体７の弧面５３が右側から左側に行くにしたがって下り勾配となる弧状の態様となって受け取った球を右球入口１３３に円滑に誘導するという利点がある。
【００１５】
図２を参照し、可変入賞部品１の構造について説明する。可変入賞部品１は、中央ユニット２、前覆体３、端子ユニット４を備える。中央ユニット２は、取付基盤５に、左開閉体６、右開閉体７、駆動機構８、左球検出器９、右球検出器１０、表示ユニット１１を取り付けた構造である。前覆体３が、取付基盤５の前面に取り付けられて、左開閉体６、右開閉体７、左球検出器９、右球検出器１０および表示ユニット１１を被覆する。端子ユニット４が駆動機構８に取り付けられる。このように構成された可変入賞部品１は、遊技盤１２に、次のように取り付けられる。取付基盤５の裏側に突出した駆動機構８や端子ユニット４などの部品が、遊技盤１２の前側から遊技盤１２の遊技領域１３に形成された逃孔１４に挿入され、取付基盤５が逃孔１４を前側から覆い隠し、木ねじからなる止ねじ１５が取付基盤５のねじ挿入孔１６から遊技盤１２に締結されると、可変入賞部品１が遊技領域１３に取り付けられる。可変入賞部品１が遊技盤１２に取り付けられた場合、前覆体３、取付基盤５、左開閉体６、右開閉体７、左球検出器９、右球検出器１０、表示ユニット１１などの部品が、遊技領域１３の前側に配置される。中央ユニット２および前覆体３の詳細は、図３および図４で後述する。端子ユニット４の詳細は、図５乃至図６で後述する。左開閉体６および右開閉体７が閉じた可変入賞部品１の詳細は、図８で後述する。左開閉体６および右開閉体７が開いた可変入賞部品１の詳細は、図９で後述する。
【００１６】
図３および図４を参照し、中央ユニット２および前覆体３の構造について説明する。図３に示すように、中央ユニット２の取付基盤５には、ねじ挿入孔１６、表示逃孔２１、左表示台座２２、右表示台座２３、左表示位置決め部２４、右表示位置決め部２５、表示取付部２６、左球検出挿入孔２７、右球検出挿入孔２８、左球検出係合部２９、右球検出係合部３０、左球出口３１、右球出口３２、左球樋３３、右球樋３４、左突起逃孔３５、右突起逃孔３６、左軸受部３７、右軸受部３８、左前覆位置決め部３９、右前覆位置決め部４０、複数の前覆取付部４１が設けられる。ねじ挿入孔１６は、取付基盤５の外縁部に位置し、取付基盤５に前後方向への貫通孔として形成される。表示逃孔２１は、取付基盤５の左右方向の中央に位置し、取付基盤５に前後方向への貫通孔として形成される。左表示台座２２は、表示逃孔２１の左側に位置し、取付基盤５の前面から前側に突出する。右表示台座２３は、表示逃孔２１の右側に位置し、取付基盤５の前面から前側に突出する。左表示位置決め部２４は、左表示台座２２の前面から前側に突出し、左表示台座２２よりも細い突起として、左表示台座２２に形成される。右表示位置決め部２５は、右表示台座２３の前面から前側に突出し、右表示台座２３よりも細い突起として、右表示台座２３に形成される。表示取付部２６は、表示逃孔２１の下側に位置し、取付基盤５の前面から前側に突出した筒状の突起である。
【００１７】
左球検出挿入孔２７は、左球検出器９を斜めに挿入するように、表示逃孔２１の左側に位置し、取付基盤５に前後方向への貫通孔として形成される。右球検出挿入孔２８は、右球検出器１０を斜めに挿入するように、表示逃孔２１の右側に位置し、取付基盤５に前後方向への貫通孔として形成される。左球検出係合部２９は、左球検出挿入孔２７の周囲において、取付基盤５の裏面から裏側に突出する。右球検出係合部３０は、右球検出挿入孔２８の周囲において、取付基盤５の裏面から裏側に突出する。左球出口３１は、表示取付部２６の左側に位置し、取付基盤５に前後方向への貫通孔として形成される。右球出口３２は、表示取付部２６の右側に位置し、取付基盤５に前後方向への貫通孔として形成される。左球樋３３は、左球出口３１に取り込まれた球を取付基盤５の裏側に誘導するものであって、左球出口３１の周囲において、取付基盤５の裏面から裏側に突出する。右球樋３４は、右球出口３２に取り込まれた球を取付基盤５の裏側に誘導するものであって、右球出口３２の周囲において、取付基盤５の裏面から裏側に突出する。左突起逃孔３５は、左球検出挿入孔２７の左側に位置し、左軸受部３７を中心とする弧状であって、取付基盤５に前後方向への貫通孔として形成される。右突起逃孔３６は、右球検出挿入孔２８の右側に位置し、右軸受部３８を中心とする弧状であって、取付基盤５に前後方向への貫通孔として形成される。左軸受部３７は、左球検出挿入孔２７の左側に位置し、取付基盤５の前面から後側への窪みとして、取付基盤５に形成される。右軸受部３８は、右球検出挿入孔２８の右側に位置し、取付基盤５の前面から後側への窪みとして、取付基盤５に形成される。左前覆位置決め部３９は、左軸受部３７の下側に位置し、取付基盤５に前後方向への貫通孔として形成される。右前覆位置決め部４０は、右軸受部３８の下側に位置し、取付基盤５に前後方向への貫通孔として形成される。前覆取付部４１は、表示逃孔２１の上側と左球検出挿入孔２７の下側および右球検出挿入孔２８の下側に位置し、取付基盤５に前後方向への貫通孔として形成される。
【００１８】
左開閉体６は、２つの平坦面４３；４４と１つの弧面４５と前面４６と裏面４７とで囲まれた立体形であって、軸受孔４８および従動突起４９を備える。軸受孔４８は、前面４６および裏面４７への貫通孔として、２つ平坦面４３；４４の交差する隅部に形成される。従動突起４９は、裏面４７から裏側に突出し、１つの平坦面４４と弧面４５との交差する隅部に設けられる。そして、弧面４５が左球出口３１の側に向けられ、従動突起４９が取付基盤５の前側から左突起逃孔３５に挿入され、左開閉軸５０が左軸受部３７および軸受孔４８に嵌め込まれることによって、左開閉体６が取付基盤５の前側に左開閉軸５０を中心として取付基盤５の前面と平行な方向に回転可能に取り付けられる。このように取付基盤５に取り付けられた左開閉体６を前側から見ると、平坦面４３；４４と弧面４５とで囲まれた略三角形である。
【００１９】
右開閉体７は、２つの平坦面５１；５２と１つの弧面５３と前面５４と裏面５５とで囲まれた立体形であって、軸受孔５６および従動突起５７を備える。軸受孔５６は、前面５４および裏面５５への貫通孔として、２つ平坦面５１；５２の交差する隅部に形成される。従動突起５７は、裏面５５から裏側に突出し、１つの平坦面５２と弧面５３との交差する隅部に設けられる。そして、弧面５３が右球出口３２の側に向けられ、従動突起５７が取付基盤５の前側から右突起逃孔３６に挿入され、右開閉軸５８が右軸受部３８および軸受孔５６に嵌め込まれることによって、右開閉体７が取付基盤５の前側に右開閉軸５８を中心として取付基盤５の前面と平行な方向に回転可能に取り付けられる。このように取付基盤５に取り付けられた右開閉体７を前側から見ると、平坦面５１；５２と弧面５３とで囲まれた略三角形である。
【００２０】
駆動機構８は、左開閉体６および右開閉体７を動力で開閉する機構であって、機構躯体６０、電磁ソレノイド６１、連結棒６２、左駆動レバー６３、右駆動レバー６４を備える。電磁ソレノイド６１は、機構躯体６０の内部に配置され、機構躯体６０の上方から操作される止ねじ６５で機構躯体６０の取付片６６に取り付けられる。機構躯体６０の前壁６７には、複数のねじ挿入孔６８が、前後方向への貫通孔として形成される。そして、タッピングスクリューのような複数の止ねじ６９が機構躯体６０の裏側からねじ挿入孔６８を経由して取付基盤５の裏面から裏側に突出した支柱７０に個別に取り付けられることによって、取付基盤５と機構躯体６０との間に左球検出器９および右球検出器１０の配置される空間が形成される。
【００２１】
図４にも示すように、電磁ソレノイド６１が機構躯体６０の内部に取り付けられることによって、電磁ソレノイド６１の駆動棒であるプランジャ７１が取付基盤５の方向に向けられる。プランジャ７１には、コイルスプリングのような図外のばねが、取付基盤５の方向へのばね力を付与している。プランジャ７１における取付基盤５の側に位置する前端部には、連結棒６２が固定される。連結棒６２は、プランジャ７１から左右方向に延びる１本の棒である。連結棒６２の左端部は、機構躯体６０の左側壁７２に形成された逃孔７３を機構躯体６０の内側から外側に貫通して機構躯体６０の左側に突出する。連結棒６２における機構躯体６０よりも左側に突出した左端部は、左側の駆動レバー６３に回転可能に連結される。駆動レバー６３は、左側壁７２の外側に配置され、左側壁７２にレバー軸７４で左側壁７２に沿って上下方向に回転可能に取り付けられる。駆動レバー６３の前部には、上係合部７５および下係合部７６が二股状に形成される。連結棒６２の右端部は、機構躯体６０の右側壁７７に形成された逃孔７８を機構躯体６０の内側から外側に貫通して機構躯体６０の右側に突出する。連結棒６２における機構躯体６０よりも右側に突出した右端部は、右側の駆動レバー６４に回転可能に連結される。駆動レバー６４は、右側壁７７の外側に配置され、右側壁７７にレバー軸７９で右側壁７７に沿って上下方向に回転可能に取り付けられる。駆動レバー６４の前部には、上係合部８０および下係合部８１が二股状に形成される。
【００２２】
機構躯体６０が取付基盤５の裏側に取り付けられる場合、取付基盤５の前側に取り付けられた左開閉体６から取付基盤５の裏側に突出した従動突起４９が、駆動レバー６３における上係合部７５と下係合部７６との間に挿入され、取付基盤５の前側に取り付けられた右開閉体７から取付基盤５の裏側に突出した従動突起５７が、駆動レバー６４における上係合部８０と下係合部８１との間に挿入される。そして、電磁ソレノイド６１への電力供給が遮断され、図外のばねがプランジャ７１を前側に押し出し、上係合部７５；８０および下係合部７６；８１が前側に向き、左開閉体６が左開閉軸５０を中心として図１に示す左球入口１３２を閉じ、右開閉体７が右開閉軸５８を中心として図１に示す右球入口１３３を閉じる。左開閉体６および右開閉体７が閉じられた状態において、電力が電磁ソレノイド６１に供給され、電磁ソレノイド６１が図外のばねのばね力に抗しプランジャ７１を磁力で後側に吸引し、連結棒６２が駆動レバー６３；６４を前側から後側に引くと、上係合部７５；８０および下係合部７６；８１が上側に向くように、左駆動レバー６３および右駆動レバー６４がレバー軸７４；７９を中心として上方に回転し、下係合部７６；８１が従動突起４９：５７を持ち上げるのに伴い、左開閉体６および右開閉体７が左開閉軸５０および右開閉軸５８を中心として図８に示す位置から図９に示す位置へと左右方向に開く。その後、電磁ソレノイド６１への電力供給が遮断され、プランジャ７１が図外のばねで前側に突出し、左駆動レバー６３および右駆動レバー６４がレバー軸７４；７９を中心として下方に回転し、上係合部７５；８０が従動突起４９：５７を押し下げるのに伴い、左開閉体６、右開閉体７が開閉軸５０；５８を中心として図９に示す位置から図８に示す位置へと中央隔壁１２６の方向に閉じる。
【００２３】
図３および図４に示すように、左球検出器９および右球検出器１０は、同じ構造である。左球検出器９は、合成樹脂からなる板状の検出器ボディの一半部に左球検出孔８２を備え、検出器ボディの内部に球を検出するための図外の電気部品を備え、検出器ボディの一端面に左コネクタ８３を備える。そして、左球検出孔８２が前側に向けられ、左コネクタ８３が取付基盤５の側に向けられ、左球検出器９の検出器ボディが左球検出挿入孔２７に挿入されて左球検出係合部２９に受け止められることによって、左球検出器９が取付基盤５の裏側にそれ以上移動することがなく、左球検出孔８２が取付基盤５の前側に配置されて左側から右側への下り勾配の貫通孔となる。右球検出器１０は、合成樹脂からなる板状の検出器ボディの一半部に右球検出孔８４を備え、検出器ボディの内部に球を検出するための図外の電気部品を備え、検出器ボディの一端面に右コネクタ８５を備える。そして、右球検出孔８４が前側に向けられ、右コネクタ８５が取付基盤５の側に向けられ、右球検出器１０の検出器ボディが球検出挿入孔２８に挿入されて球検出係合部３０に受け止められることによって、右球検出器１０が取付基盤５の裏側にそれ以上移動することがなく、右球検出孔８４が取付基盤５の前側に配置されて右側から左側への下り勾配の貫通孔となる。
【００２４】
図３に示すように、表示ユニット１１は、回路基板からなる表示基板８７の前面に、図柄表示器８８および入賞保留表示器８９を実装した構造である。図柄表示器８８は、７セグメント表示器やマトリクス表示器あるいはデジタル表示器など「０乃至９」の１桁の異なる複数の数字の表示可能な表示器を２個左右に配置した形態である。入賞保留表示器８９は、図柄表示器８８の左右に２個ずつ上下に配置した合計４個のＬＥＤにより形成される。表示基板８７には、左位置決め部９０および右位置決め部９１が入賞保留表示器８９よりも左右外側の位置に前後方向への貫通孔として形成され、ねじ挿入孔９２が図柄表示器８８の真下に前後方向への貫通孔として形成される。
【００２５】
図４に示すように、表示基板８７の裏面には、コネクタ９３が実装される。図柄表示器８８と入賞保留表示器８９およびコネクタ９３は、制御装置からコネクタを経由して図柄表示器８８および入賞保留表示器８９に供給される電力によって、図柄表示器８８および入賞保留表示器が個別に表示動作するように、表示基板８７を構成する回路基板における薄状の配線で相互に接続される。表示ユニット１１は、取付基盤５に次のように取り付けられる。コネクタ９３が取付基盤５の前側から表示逃孔２１に挿入され、表示基板８７の左位置決め部９０が取付基盤５の左位置決め部２４に嵌め込まれ、表示基板８７の右位置決め部９１が取付基盤５の右位置決め部２５に嵌め込まれ、表示基板８７が左表示台座２２および右表示台座２３に受け止められる。そして、図３に示すタッピングスクリューのような止ねじ９４が、表示基板８７の前側からねじ挿入孔９２を経由して表示取付部２６に締結されることによって、表示ユニット１１が、左球出口３１および右球出口３２を塞がないように、取付基盤５の前側に固定される。
【００２６】
図３および図４に示すように、最良の形態では、取付基盤５に左一般入賞部品９６と右一般入賞部品９７およびアウト口逃部９８を備えた形態を例として図示してある。左一般入賞部品９６は、左球受入部９９、左球誘導部１００、左球検出器１０１、左検出支持体１０２を備える。左球受入部９９は、取付基盤５の前面から前側に突出し、上側および裏面に開口した球の取込可能な窪みを形成する。左球誘導部１００は、取付基盤５の裏面から裏側に突出し、左球受入部９９から排出された球を取付基盤５の裏側に誘導する。左球検出器１０１は、左球検出器９と同じ構造である。左球検出器１０１は、合成樹脂からなる板状の検出器ボディの一半部に左球検出孔１０３を備え、検出器ボディの内部に球を検出するための図外の電気部品を備え、検出器ボディの一端面に左コネクタ１０４を備える。左球検出孔１０３が後側に向けられ、左コネクタ１０４が取付基盤５の側に向けられ、左球検出器１０１の検出器ボディが左球誘導部１００の下部に形成された左球検出挿入孔１０５（図４参照）に挿入されて受け止められることによって、左球検出器１０１が取付基盤５の前側にそれ以上移動することがなく、左球検出孔１０３が左球誘導部１００の裏側に配置されて上下方向の貫通孔となる。左検出支持体１０２は、左球誘導部１００から排出された球を下方に誘導する前側および下側に開口した窪みを形成する。左検出支持体１０２の内部には、左球検出挿入孔１０６（図３参照）が形成される。そして、左球検出器１０１における左球誘導部１００から裏側に突出した後端部が左球検出挿入孔１０６に挿入されるように、左検出支持体１０２が左球誘導部１００の後側に重ね合わされ、図４に示すタッピングスクリューのような止ねじ１０７が左検出支持体１０２における前側の開口縁部に形成されたねじ挿入孔１０８から取付基盤５の裏面に形成された左検出支持取付部１０９（図４参照）に締結されることによって、左球検出器１０１が取付基盤５と左検出支持体１０２とで前後方向から挟まれて取付基盤５の裏側に取り付けられる。これによって、左一般入賞部品９６が取付基盤５に一体にポケット形と呼ばれる定形に設けられる。
【００２７】
右一般入賞部品９７は、右球受入部１１０、右球誘導部１１１、右球検出器１１２、右検出支持体１１３を備える。右球受入部１１０は、取付基盤５の前面から前側に突出し、上側および裏面に開口した球の取込可能な窪みを形成する。右球誘導部１１１は、取付基盤５の裏面から裏側に突出し、右球受入部１１０から排出された球を取付基盤５の裏側に誘導する。右球検出器１１２は、左球検出器９と同じ構造である。右球検出器１１２は、合成樹脂からなる板状の検出器ボディの一半部に右球検出孔１１４を備え、検出器ボディの内部に球を検出するための図外の電気部品を備え、検出器ボディの一端面に右コネクタ１１５を備える。右球検出孔１１４が後側に向けられ、右コネクタ１１５が取付基盤５の側に向けられ、右球検出器１１２の検出器ボディが右球誘導部１１１の下部に形成された右球検出挿入孔１１６（図４参照）に挿入されて受け止められることによって、右球検出器１１２が取付基盤５の前側にそれ以上移動することがなく、右球検出孔１１４が右球誘導部１１１の裏側に配置されて上下方向の貫通孔となる。右検出支持体１１３は、右球誘導部１１１から排出された球を下方に誘導する前側および下側に開口した窪みを形成する。右検出支持体１１３の内部には、右球検出挿入孔１１７（図３参照）が形成される。そして、右球検出器１１２における右球誘導部１１１から裏側に突出した後端部が右球検出挿入孔１１７に挿入されるように、右検出支持体１１３が右球誘導部１１１の後側に重ね合わされ、図４に示すタッピングスクリューのような止ねじ１１８が右検出支持体１１３における前側の開口縁部に形成されたねじ挿入孔１１９から取付基盤５の裏面に形成された右検出支持取付部１２０（図４参照）に締結されることによって、右球検出器１１２が取付基盤５と右検出支持体１１３とで前後方向から挟まれて取付基盤５の裏側に取り付けられる。これによって、右一般入賞部品９７が取付基盤５に一体にポケット形と呼ばれる定形に設けられる。
【００２８】
図３に示すように、前覆体３には、表示孔１２２および表示孔１２３が前後方向への貫通孔として形成される。表示孔１２２は、主図柄表示器８８の表示画面に表示された数値を、前覆体３の前側から見せるための貫通孔である。表示孔１２３は、入賞保留表示器８９の点灯および消灯の状態を、前覆体３の前側から見せるための貫通孔である。
【００２９】
図４に示すように、前覆体３の裏面には、左開閉入賞口部１２４、右開閉入賞口部１２５、中央隔壁１２６、左内側隔壁１２７、左外側隔壁１２８、右内側隔壁１２９、右外側隔壁１３０、下隔壁１３１、左球入口１３２、右球入口１３３、左球検出挿入溝１３４、右球検出挿入溝１３５、左軸受部１３６、右軸受部１３７、複数の位置決め部１３８、複数の取付部１３９が設けられる。
【００３０】
左開閉入賞口部１２４は、前覆体３が取付基盤５の前側に取り付けられることによって、取付基盤５と中央隔壁１２６と左内側隔壁１２７と左外側隔壁１２８と下隔壁１３１と前覆体３とによって囲まれ、遊技領域１３から左球入口１３２に取り込まれた球を下方の左球出口３１に誘導する、左側から中央の方向に行くにしたがって下り勾配の通路を構成する。前覆体３が取付基盤５の前側に取り付けられることによって、左球入口１３２には左開閉体６が配置される。そして、左開閉体６が左球入口１３２を開くことによって、左球入口１３２は遊技領域１３から球を捕り込むことが可能に開放される。また、左開閉体６が左球入口１３２を閉じることによって、左球入口１３２は遊技領域１３から球を捕り込むことが不可能に閉鎖される。つまり、左開閉入賞口部１２４は、左開閉体６が開くことによって遊技領域１３から球を捕り込むことが可能に開放され、左開閉体６が閉じることによって遊技領域１３から球を捕り込むことが不可能に閉鎖される、構造である。
【００３１】
右開閉入賞口部１２５は、前覆体３が取付基盤５の前側に取り付けられることによって、取付基盤５と中央隔壁１２６と右内側隔壁１２９と右外側隔壁１３０と下隔壁１３１と前覆体３とによって囲まれ、遊技領域１３から右球入口１３３に取り込まれた球を下方の右球出口３２に誘導する、右側から中央の方向に行くにしたがって下る通路を構成する。右球入口１３３には、前覆体３が取付基盤５の前側に取り付けられることによって、右開閉体７が配置される。そして、右開閉体７が右球入口１３３を開くことによって、右球入口１３３は遊技領域１３から球を捕り込むことが可能に開放される。また、右開閉体７が右球入口１３３を閉じることによって、右球入口１３３は遊技領域１３から球を捕り込むことが不可能に閉鎖される。つまり、右開閉入賞口部１２５は、右開閉体７が開くことによって、遊技領域１３から球を捕り込むことが可能に開放され、右開閉体７が閉じることによって、遊技領域１３から球を捕り込むことが不可能に閉鎖される、構造である。
【００３２】
中央隔壁１２６は、中央から左右方向に行くにしたがって下り勾配となる、上方に突出した弧状の突起であって、左右に対象な形状である。左球検出挿入溝１３４は、左球検出器９を斜めに嵌め込むように、左内側隔壁１２７および左外側隔壁１２８に形成される。右球検出挿入溝１３５は、右球検出器１０を斜めに嵌め込むように、右内側隔壁１２９および右外側隔壁１３０に形成される。左軸受部１３６および右軸受部１３７は、下隔壁１３１の左右両端部に位置し、前覆体３の裏面から前側への窪みとして前覆体３に形成される。複数の位置決め部１３８は、下隔壁１３１の左右両端部から後側への突起として、下隔壁１３１に形成される。複数の取付部１３９は、下隔壁１３１の左右両端部および中央隔壁１２６の中央部に位置し、前覆体３の裏面から裏側への筒状の突起として、前覆体３に形成される。
【００３３】
前覆体３は、取付基盤５に、次のように取り付けられる。左開閉体６、右開閉体７、左球検出器９、右球検出器１０、表示ユニット１１が、取付基盤５に取り付けられた状態において、前覆体３の裏面が取付基盤５の側に向けられ、前覆体３と取付基盤５とが互いに組み合わせられることによって、左球検出器９における取付基盤５よりも前側に突出した左球検出孔８２の周縁部が左球検出挿入溝１３４に取り込まれ、右球検出器１０における取付基盤５よりも前側に突出した右球検出孔８４の周縁部が右球検出挿入溝１３５に取り込まれ、左開閉軸５０における左開閉体６よりも前側に突出した部分が左軸受部１３６に嵌め込まれ、右開閉軸５８における右開閉体７よりも前側に突出した部分が右軸受部１３７に嵌め込まれ、位置決め部１３８が左前覆位置決め部３９および右前覆位置決め部４０に個別に嵌め込まれた後、タッピングスクリューのような図外の止ねじが取付基盤５の裏側から複数の前覆取付部４１を経由して複数の取付部１３９に個別に締結される。これによって、前覆体３が取付基盤５の前面に取り付けられて左開閉体６、右開閉体７、左球検出器９、右球検出器１０、表示ユニット１１を被覆し、図柄表示器８８が表示孔１２２に嵌まり込み、入賞保留表示器８９が表示孔１２３と対応する。図４において、取付基盤５の裏面には、位置決め部１４０が設けられる。位置決め部１４０は、取付基盤５の裏面から裏側への突起として形成され、取付基盤５を図２の遊技盤１２に取り付ける場合に取付基盤５の位置を決めるためのものである。
【００３４】
図５を参照し、端子ユニット４と駆動機構８との取付構造について説明する。端子ユニット４は、ユニット容器１４２にコネクタ基板１４３を組み付けた構造である。ユニット容器１４２には、左滑走係合部１４４、右滑走係合部１４５、左弾性係合部１４６、右弾性係合部１４７が設けられる。左滑走係合部１４４は、ユニット容器１４２から前側に突出し、前側および右側に開口する溝を有する。右滑走係合部１４５は、ユニット容器１４２から前側に突出し、前側および左側に開口する溝を有する。左弾性係合部１４６は、ユニット容器１４２から前側に突出した弾性片の前端から右側に突出するフックを有する。右弾性係合部１４７は、ユニット容器１４２から前側に突出した弾性片の前端から左側に突出するフックを有する。駆動機構８には、左ユニット取付部１４８および右ユニット取付部１４９が設けられる。左ユニット取付部１４８には、左係合部１５０が、駆動機構８における取付片６６の左縁部から下方に折り曲げられた左側壁に左右方向への貫通孔として形成される。右ユニット取付部１４９には、右係合部１５１が、駆動機構８における取付片６６の右縁部から下方に折り曲げられた左側壁に左右方向への貫通孔として形成される。
【００３５】
端子ユニット４は、駆動機構８に、次のように取り付けられる。ユニット容器１４２の前面が駆動機構８の側に向けられ、左滑走係合部１４４が駆動機構８の後側から取付片６６の左縁部に嵌め込まれ、右滑走係合部１４５が駆動機構８の後側から取付片６６の左縁部に嵌め込まれた状態において、端子ユニット４が駆動機構８の側に押し込まれるのに伴い、左滑走係合部１４４および右滑走係合部１４５が取付片６６に対して前側に滑走し、左弾性係合部１４６が左ユニット取付部１４８に衝突して左外側に撓み、右弾性係合部１４７が右ユニット取付部１４９に衝突して右外側に撓み、その後、左弾性係合部１４６のフックが左係合部１５０に係合し、右弾性係合部１４７のフックが右係合部１５１に係合する。つまり、左滑走係合部１４４および右滑走係合部１４５と取付片６６との相互の嵌り合いによる案内によって、端子ユニット４が前側に直線的に滑走した後、左弾性係合部１４６および右弾性係合部１４７が左係合部１５０および右係合部１５１に個別に係合するので、端子ユニット４が駆動機構８に適切に取り付けられるという利点がある。
【００３６】
図６を参照し、端子ユニット４の構造について説明する。ユニット容器１４２は、コネクタ基板１４３の板面と対応する方形な容器基盤１５３の全周縁から周壁１５４を後側に直角に突出し、コネクタ基板１４３をユニット容器１４２の裏側から格納させるように、裏側に開口した形状である。ユニット容器１４２の４隅には、ユニット台座１５５が、ユニット容器１４２の裏面から裏側に突出して設けられる。周壁１５４には、受止部１５６および弾性係合部１５７が直線的に相対峙する位置に設けられる。受止部１５６は、周壁１５４の後端部から内側に突出し、容器基盤１５３の裏面と対向する。弾性係合部１５７は、２つ溝１５８が周壁１５４に周壁１５４の裏面から前側に除去され、２つ溝１５８の間に取り残された弾性片の後端部から内側にフックを突出し、フックが容器基盤１５３の裏面と対向する構造である。ユニット台座１５５のユニット容器１４２の裏面からの突出寸法は、コネクタ基板１４３がユニット台座１５５と受止部１５６との間ならびにユニット台座１５５と弾性係合部１５７のフックとの間に前後方向にがたつくことがないように挟まれるように、周壁１５４のユニット容器１４２の裏面からの突出寸法よりも小さい寸法に設定される。ユニット台座１５５の１つには、位置決め部１５９がユニット台座１５５から裏側へのユニット台座１５５よりも細い突起として設けられる。
【００３７】
コネクタ基板１４３における位置決め部１５９と対応する１つの隅部には、位置決め部１６０が前後方向への貫通孔として形成される。コネクタ基板１４３の裏側における板面には、コネクタ１６１；１６２；１６３；１６４；１６５；１６６が実装される。コネクタ１６１乃至１６６は、コネクタ基板１４３を構成する回路基板における薄状の配線で相互に接続される。コネクタ１６１は、コネクタ基板１４３の左右方向の中央部に配置される。コネクタ１６２；１６３は、コネクタ基板１４３の左側部に配置される。コネクタ１６４乃至１６６は、コネクタ基板１４３の右側部に配置される。コネクタ１６１には、制御装置に入出力部に接続された配線に結線された図外のコネクタが嵌め込まれる。コネクタ１６２には、左球検出器９の左コネクタ８３に図外のコネクタで接続された配線に結線された図外のコネクタが嵌め込まれる。コネクタ１６３には、左球検出器１０１の左コネクタ１０４に図外のコネクタで接続された配線に結線された図外のコネクタが嵌め込まれる。コネクタ１６４には、電磁ソレノイド６１のコイルからの配線である引出線に結線された図外のコネクタが嵌め込まれる。コネクタ１６５には、右球検出器１０の右コネクタ８５に図外のコネクタで接続された配線に結線された図外のコネクタが嵌め込まれる。コネクタ１６６には、右球検出器１１２の右コネクタ１１５に図外のコネクタで接続された配線に結線された図外のコネクタが嵌め込まれる。これによって、左球検出器９、右球検出器１０、左球検出器１０１、右球検出器１１２からの検出信号が図外の制御装置に入力され、当該制御装置からの出力により電磁ソレノイド６１が駆動する。
【００３８】
コネクタ基板１４３は、ユニット容器１４２に、次のように取り付けられる。コネクタ１６１乃至１６６が裏側に向けられ、コネクタ基板１４３の左側部がユニット台座１５５と受止部１５６との間に挿入され、コネクタ基板１４３の右側部がユニット容器１４２の側に押されるのに伴い、弾性係合部１５７がコネクタ基板１４３に衝突して右外側に撓み、位置決め部１５９と位置決め部１６０とが互いに嵌め合わされ、コネクタ基板１４３が弾性係合部１５７のフックを裏側から容器基盤１５３の側に越えると、コネクタ基板１４３の前面がユニット台座１５５で受け止められ、上記弾性係合部１５７の撓みが復元し、弾性係合部１５７のフックがコネクタ基板１４３の右側部の裏面に対向して係合する。つまり、コネクタ基板１４３の左側部である一側部がユニット台座１５５と受止部１５６との間に挿入された状態において、コネクタ基板１４３の右側部である他側部がユニット容器１４２の側に押し込まれると、位置決め部１５９と位置決め部１６０とが互いに嵌め合わされてユニット容器１４２とコネクタ基板１４３との取付位置が正確となり、コネクタ基板１４３がユニット台座１５５と受止部１５６および弾性係合部１５７で前後方向から挟まれ、コネクタ基板１４３が図７に示すようにユニット容器１４２の周壁１５４で囲まれた内部に適切に取り付けられるという利点がある。
【００３９】
図８に示すように、左開閉体６および右開閉体７が閉じた場合、左開閉体６の平坦面４３が中央隔壁１２６から左側に直線的に斜め下方に突出し、右開閉体７の平坦面５１が中央隔壁１２６から右側に直線的に斜め下方に突出した形態となる。よって、上方から中央隔壁１２６に落下した球は、上方に突出した弧状の中央隔壁１２６によって左右に振り分けられた後、平坦面４３または平坦面５１によっていち早く下方に落下するという利点がある。
【００４０】
図９に示すように、左開閉体６および右開閉体７が開いた場合、左開閉体６の弧面４５が中央隔壁１２６から左側に離れて上方に突出し、右開閉体７の弧面５３が中央隔壁１２６から右側に離れて上方に突出した形態となる。よって、上方から中央隔壁１２６に落下した球、または、左開閉体６と中央隔壁１２６との間における空間に落下した球、または、右開閉体７と中央隔壁１２６との間における空間に落下した球は、弧面４５または弧面５３によってより早く左球入口１３２または右球入口１３３に取り込まれるという利点がある。
【００４１】
図１０を参照し、可変入賞部品１を備えたパチンコ遊技機について説明する。パチンコ遊技機の遊技機枠１７１は、固定枠１７２の前側に可動枠１７３を開閉可能に備え、可動枠１７３の前側に前扉１７４および球皿構造体１７５を開閉可能に備える。固定枠１７２は、遊技機設置構造体に取り付けるための外枠とも呼ばれる。可動枠１７３は、遊技盤１２を取り付ける前枠とも呼ばれる。可動枠１７３は、左側に位置するヒンジ１７６を中心とし、固定枠１７２の前側で前側に開かれかつ後側に閉じられるように、片開き可能である。前扉１７４および球皿構造体１７５は、個別に、左側に位置するヒンジ１７７を中心とし、可動枠１７３の前側で前側に開かれかつ後側に閉じられるように、片開き可能である。閉じられた球皿構造体１７５で覆われる球発射機構１７８が可動枠１７３の前側に設けられる。可動枠１７３は、施錠装置１７９を右側部に備える。前扉１７４は、パネル枠と呼ばれ、前後方向に貫通する窓１８０と、窓１８０を覆う裏側から覆う前面パネル１８１とを備える。前面パネル１８１は、光を透過する性質の有るガラスまたは合成樹脂などの材料からなる板状である。球皿構造体１７５は、球皿部１８２および球発射操作機構１８３を前面に備える。球皿部１８２は、遊技に使用する球を受ける上方に開口した上方から下方に窪む容器である。球発射操作機構１８３は、遊技者が球を発射するために操作するものである。
【００４２】
そして、可動枠１７３が図外のロック機構で固定枠１７２に開閉不能に支持され、前扉１７４および球皿構造体１７５が閉じられて図外のロック機構で可動枠１７３に開閉不能に支持された状態において、遊技店の店員が図外のキープレート（鍵）を遊技機枠１７１の前側から施錠装置１７９に挿入して当該キープレートを例えば左側に９０度回転操作すると、可動枠１７３と前扉１７４とのロック機構による支持形態が解除される。その状態において、遊技盤１２の前面が前側に向けられ、遊技盤１２が可動枠１７３の前側から可動枠１７３の内部に装着される。そして、前扉１７４が閉じられてロック機構で可動枠１７３に開閉不能に支持されることによって、遊技盤１２の前面が遊技機枠１７１の前側から前面パネル１８１を通して見える形態となる。その後、店員がキープレートを施錠装置１７９から前側に抜き取る。
【００４３】
遊技盤１２は、方形な板状の前面における内ガイドレール１８４と外ガイドレール１８５とで囲まれた内側の遊技領域１３に、可変入賞部品１（以下、下可変入賞部品１と称する）、左一般入賞部品９６、右一般入賞部品９７、飾り部品１８６、普通始動入賞部品１８７、特別始動入賞部品１８８、可変入賞部品１８９（以下、上可変入賞部品１と称する）、普通図柄表示器１９０、主特別図柄表示器としての図柄表示器８８（以下、主特別図柄表示器８８と称する）、副特別図柄表示器１９１、入賞保留表示器８９；１９２、球戻り防止弁１９３、球反発体１９４、アウト口１９５、図外の遊技釘などの前部品を備える。内ガイドレール１８４の左側部と外ガイドレール１８５の左側部との間の隙間は、球発射通路１９６である。
【００４４】
左一般入賞部品９６、右一般入賞部品９７、特別始動入賞部品１８８、上可変入賞部品１８９、下可変入賞部品１は、遊技領域１３から入った球を遊技盤１２の裏側に排出する取込形の入賞部品である。左一般入賞部品９６、右一般入賞部品９７は、遊技領域１３から球が入賞すると、賞球として定められた個数の球を遊技者に払い出す入賞部品である。普通始動入賞部品１８７は、遊技領域１３から球が入賞すると、普通図柄表示器１９０による普通図柄変動遊技を行わせる入賞部品であって、遊技領域１３から入った球を遊技盤１２の裏側に排出することなく遊技領域１３に排出する通過形であり、賞球として定められた個数の球を遊技者に払い出さない入賞部品である。
【００４５】
特別始動入賞部品１８８は、遊技領域１３から球が入賞すると、主特別図柄表示器８８による特別図柄変動遊技を行わせる入賞部品であって、賞球として定められた個数の球を遊技者に払い出す。下可変入賞部品１は、特別始動入賞部品１８８の真下に配置され、特別図柄変動遊技の結果として主特別図柄表示器８８が当たり図柄を停止表示した場合、左球入口１３２および右球入口１３３が所定回数または所定時間だけ開閉する大当たり遊技を行い、左球入口１３２および右球入口１３３の開放中に、遊技領域１３から球が入賞すると、賞球として定められた個数の球を遊技者に払い出し、左球入口１３２および右球入口１３３が閉じると、遊技領域１３から球を入賞させない入賞部品である。
【００４６】
普通図柄表示器１９０は、遊技領域１３の左側部に設けられ、電気的に表示形態の変えられる数値を表示画面に表示する、７セグメント表示器やドット表示器のようなデジタル表示器により構成され、遊技領域１３から普通始動入賞部品１８７への球の入賞に伴って普通図柄変動遊技の抽選を行うとともに表示画面に数値を可変表示した後に、表示画面に数値を停止表示することによって、普通図柄変動遊技の結果としての当たりや外れを遊技者に知らせる。
【００４７】
主特別図柄表示器８８は、遊技領域１３から特別始動入賞部品１８８への球の入賞に伴って特別図柄変動遊技の抽選を行うとともに表示画面に数値を可変表示した後に、表示画面に数値を停止表示することによって、特別図柄変動遊技の結果としての当たりや外れを遊技者に知らせる。副特別図柄表示器１９１は、飾り部品１８６の裏側に設けられ、電気的に表示形態の変えられる画像を表示画面に表示する、液晶表示器、ＣＲＴ表示器、プラズマディスプレイなどのような面状の画像表示器により構成され、遊技領域１３から特別始動入賞部品１８８への球の入賞に伴い、表示画面に数値を含む画像を可変表示した後に、表示画面に特別図柄変動遊技の抽選結果に対応した数値を含む演出用の変動遊技の画像を停止表示することによって、特別図柄変動遊技の結果としての当たりや外れを遊技者に知らせる。
【００４８】
前述したように遊技盤１２が可動枠１７３に装着され、前扉１７４が閉じられて可動枠１７３に開閉不能に支持された場合、内ガイドレール１８４、外ガイドレール１８５、遊技領域１３、飾り部品１８６、左一般入賞部品９６、右一般入賞部品９７、普通始動入賞部品１８７、特別始動入賞部品１８８、下可変入賞部品１、上可変入賞部品１８９、普通図柄表示器１９０、主特別図柄表示器８８、副特別図柄表示器１９１、入賞保留表示器８９；１９２、球戻り防止弁１９３、球反発体１９４、アウト口１９５、球発射通路１９６、遊技釘が、遊技機枠１７１の前側から前面パネル１８１を通して見える。その状態において、遊技者が球皿部１８２に球を入れて球発射操作機構１８３を操作すると、球発射機構１７８が球発射操作機構１８３による操作量に応じた電気的な発射力と１分間を百未満の等間隔に分けた周期とによって球皿部１８２から供給された球を１個ずつ遊技領域１３に向けて発射する。この球発射機構１７８から発射された球は、球発射通路１９６から球戻り防止弁１９３を押し開けて遊技領域１３に到達する。遊技領域１３に到達した球は、遊技領域１３を上部から下方に流下する過程において、飾り部品１８６、左一般入賞部品９６、右一般入賞部品９７、普通始動入賞部品１８７、特別始動入賞部品１８８、下可変入賞部品１、球反発体１９４、遊技釘などに衝突して流れる方向を変えながら、左一般入賞部品９６、右一般入賞部品９７、普通始動入賞部品１８７、特別始動入賞部品１８８、下可変入賞部品１、上可変入賞部品１８９などに入賞する。左一般入賞部品９６、右一般入賞部品９７、下可変入賞部品１、などのいずれかに入賞しないで遊技領域１３の下部に到達した球は、アウト口１９５から遊技盤１２の裏側に排出される。
【産業上の利用可能性】
【００４９】
下可変入賞部品１つまり可変入賞部品１は、遊技領域１３の下部に限定されるものではなく、遊技領域１３の上部に設けてもよい。左開閉体６または右開閉体７の一方を下部に設けられた左開閉軸５０または右開閉軸５８を中心として取付基盤５の前面と平行な方向で上方に向けて回転して開かれかつ下方に向けて回転して閉じられる構造に形成し、他方を下部に軸を中心として前後方向に開閉したり、前後方向に直線的に移動したりする構造に形成してもよい。中央隔壁１２６の上面１２６ａは中央から左右方向に行くにしたがって下方に下り勾配となる平坦な斜面でもよい。
【図面の簡単な説明】
【００５０】
【図１】可変入賞部品の要部を正面から見た模式図（最良の形態）。
【図２】可変入賞部品を前側から示す分解斜視図（最良の形態）。
【図３】中央ユニットと前覆体とを前側から示す分解斜視図（最良の形態）。
【図４】中央ユニットと前覆体とを裏側から示す分解斜視図
【図５】駆動機構と端子ユニットとを前側から示す分解斜視図（最良の形態）。
【図６】端子ユニットを裏側から示す分解斜視図（最良の形態）。
【図７】端子ユニットを裏側から示す斜視図（最良の形態）。
【図８】開閉体の閉じた可変入賞部品を前側から示す斜視図（最良の形態）。
【図９】開閉体の開いた可変入賞部品を前側から示す斜視図（最良の形態）。
【図１０】パチンコ遊技機を示す正面図（最良の形態）。
【符号の説明】
【００５１】
１      可変入賞部品
５      取付基盤
６      左開閉体
７      右開閉体
８      駆動機構
９      左球検出器
１０    右球検出器
３１    左球出口
３２    右球出口
４３    平坦面
４４    平坦面
４５    弧面
４６    前面
４７    裏面
５０    左開閉軸
５１    平坦面
５２    平坦面
５３    弧面
５４    前面
５５    裏面
５８    右開閉軸
１２４  左開閉入賞口部
１２５  右開閉入賞口部
１２６  中央隔壁
１２７  左内側隔壁
１２８  左外側隔壁
１２９  右内側隔壁
１３０  右外側隔壁
１３１  下隔壁
１３２  左球入口
１３３  右球入口
【図１】
2006305003.tif 000003
【図２】
2006305003.tif 000004
【図３】
2006305003.tif 000005
【図４】
2006305003.tif 000006
【図５】
2006305003.tif 000007
【図６】
2006305003.tif 000008
【図７】
2006305003.tif 000009
【図８】
2006305003.tif 000010
【図９】
2006305003.tif 000011
【図１０】
2006305003.tif 000012